(57)【要約】【課題】超低体重児が着用する場合であっても、安全でフィット性が良好な低体重児用の吸収性物品を提供する。【解決手段】互いに直交する長手方向と幅方向と厚さ方向とを有し、吸収体（２）を有する低体重児用吸収パッド（１）であって、前記長手方向における長さ（Ｌ１）は１８０ｍｍ以下であり、前記幅方向における長さ（Ｗ１）は７５ｍｍ未満である。【選択図】図１
2020081339.tif 000002
【特許請求の範囲】
【請求項１】
互いに直交する長手方向と幅方向と厚さ方向とを有し、
吸収体を有する低体重児用吸収パッドであって、
前記長手方向における長さは１８０ｍｍ以下であり、前記幅方向における長さは７５ｍｍ未満である、
ことを特徴とする低体重児用吸収パッド。
【請求項２】
請求項１に記載の低体重児用吸収パッドであって、
前記幅方向において、前記吸収体よりも外側の領域には、弾性部材が設けられていない、ことを特徴とする低体重児用吸収パッド。
【請求項３】
請求項１または２に記載の低体重児用吸収パッドであって、
前記長手方向に折り曲げるための折り曲げ線を有していない、ことを特徴とする低体重児用吸収パッド。
【請求項４】
請求項１〜３のいずれか１項に記載の低体重児用吸収パッドであって、
前記厚さ方向において、前記吸収体よりも非肌側に配置されたバックシートを有し、
前記バックシートが不織布である、ことを特徴とする低体重児用吸収パッド。
【請求項５】
請求項４に記載の低体重児用吸収パッドであって、
前記厚さ方向において、前記吸収体よりも肌側に配置されたトップシートを有し、
前記厚さ方向において、前記トップシートの少なくとも一部を前記バックシートと接合するシール部を有している、ことを特徴とする低体重児用吸収パッド。
【請求項６】
請求項５に記載の低体重児用吸収パッドであって、
前記シール部は、前記低体重児用吸収パッドの外縁から所定の距離を空けて、前記外縁に沿って設けられている、ことを特徴とする低体重児用吸収パッド。
【請求項７】
請求項６に記載の低体重児用吸収パッドであって、
前記吸収体には、吸収性ポリマーが含まれており、
前記吸収性ポリマーが膨潤した場合であっても、前記シール部の全周に剥離しない部分を有する、ことを特徴とする低体重児用吸収パッド。
【請求項８】
請求項１〜７のいずれか１項に記載の低体重児用吸収パッドであって、
前記吸収体には、吸収性ポリマーが含まれており、
前記吸収体における前記吸収性ポリマーの坪量が１６０ｇ／ｍ2以上である、ことを特徴とする低体重児用吸収パッド。
【請求項９】
請求項１〜８のいずれか１項に記載の低体重児用吸収パッドであって、
着用者の下着に固定するための接着部を有していない、ことを特徴とする低体重児用吸収パッド。
【請求項１０】
請求項１〜９のいずれか１項に記載の低体重児用吸収パッドであって、
前記厚さ方向において、
前記吸収体よりも肌側に配置されたトップシートと、
前記吸収体と前記トップシートとの間に配置された中間シートと、
を有する、ことを特徴とする低体重児用吸収パッド。
【請求項１１】
請求項１０に記載の低体重児用吸収パッドであって、
前記中間シートの密度は、前記トップシートの密度よりも高い、ことを特徴とする低体重児用吸収パッド。
【請求項１２】
請求項１０または１１に記載の低体重児用吸収パッドであって、
前記中間シートには、熱可塑性繊維が含まれている、ことを特徴とする低体重児用吸収パッド。
【請求項１３】
請求項１〜１２のいずれか１項に記載の低体重児用吸収パッドであって、
互いに直交する縦方向と横方向と厚さ方向とを有し、吸収性コアを備えた吸収性本体と、前記横方向において前記吸収性本体の両側に設けられ、前記厚さ方向の肌側に起立可能な一対の防漏壁と、前記横方向において前記吸収性本体の両端部から外側に張り出した一対のファスニングテープと、を有する使い捨ておむつに対して、
前記吸収性本体の前記肌側に着脱可能である、ことを特徴とする低体重児用吸収パッド。
【請求項１４】
請求項１３に記載の低体重児用吸収パッドであって、
前記低体重児用吸収パッドの前記長手方向における長さが、
前記吸収性コアの前記縦方向における長さよりも短い、ことを特徴とする低体重児用吸収パッド。
【請求項１５】
請求項１３または１４に記載の低体重児用吸収パッドであって、
前記低体重児用吸収パッドの前記幅方向における長さが、
前記一対の防漏壁が各々前記肌側に起立する際の起立起点間の前記横方向における長さよりも短い、ことを特徴とする低体重児用吸収パッド。
【請求項１６】
請求項１３〜１５のいずれか１項に記載の低体重児用吸収パッドであって、
前記低体重児用吸収パッドの前記幅方向における長さが、
前記一対の防漏壁の頂点間の前記横方向における長さよりも長い、ことを特徴とする低体重児用吸収パッド。
【発明の詳細な説明】
【技術分野】
【０００１】
本発明は、低体重児用吸収パッドに関する。
【背景技術】
【０００２】
従来、乳幼児等の身体が小さい子供に着用させるための吸収性物品として、乳幼児用小型おむつが知られている。例えば、特許文献１には、吸収体と、一対のファスニングテープとを有し、３０００ｇ（グラム）以下の低体重児を主な着用対象者としたテープタイプの使い捨ておむつが開示されている。
【先行技術文献】
【特許文献】
【０００３】
【特許文献１】特開２０１６−２０２７３９号公報
【発明の概要】
【発明が解決しようとする課題】
【０００４】
特許文献１に記載されているようなテープタイプのおむつは、体重３０００ｇ以下の低体重児を着用対象者としている。しかしながら、一般に、低体重児は肌が非常にデリケートであり、テープ等の硬い部材が接触することによって肌が傷付けられてしまうおそれがある。また、着用対象者が体重１０００ｇ以下の超低体重児である場合には、通常の低体重児用吸収性物品ではサイズが合わず、身体にフィットさせることができなかったり、排泄物をしっかりと吸収させることができなかったりするおそれがある。
【０００５】
本発明は、上記のような従来の問題に鑑みてなされたものであって、その目的は、超低体重児が着用する場合であっても、安全でフィット性が良好な低体重児用の吸収性物品を提供することにある。
【課題を解決するための手段】
【０００６】
上記目的を達成するための主たる発明は、互いに直交する長手方向と幅方向と厚さ方向とを有し、吸収体を有する低体重児用吸収パッドであって、前記長手方向における長さは１８０ｍｍ以下であり、前記幅方向における長さは７５ｍｍ未満である、ことを特徴とする低体重児用吸収パッド。である。
本発明の他の特徴については、本明細書及び添付図面の記載により明らかにする。
【発明の効果】
【０００７】
本発明によれば、超低体重児が着用する場合であっても、安全でフィット性が良好な低体重児用の吸収性物品を提供することができる。
【図面の簡単な説明】
【０００８】
【図１】低体重児用吸収パッド１の肌側平面図である。
【図２】低体重児用吸収パッド１の非肌側平面図である。
【図３】図１に示す線Ａ−Ａでの断面図である。
【図４】図４Ａ及び図４Ｂは、本実施形態の吸収パッド１を超低体重児に着用させた状態について表す図である。
【図５】図５Ａ及び図５Ｂは、比較例の吸収パッド５０を超低体重児に着用させた状態について表す図である。
【図６】展開かつ伸長状態のおむつ１００の肌側面に吸収パッド１を設置した状態について表す図である。
【図７】図６に示す線Ｂ−Ｂでの断面模式図である。
【図８】図８Ａ及び図８Ｂは、おむつ１００と吸収パッド１とを併用して、超低体重児に着用させる場合の使用態様について説明する図である。
【発明を実施するための形態】
【０００９】
本明細書及び添付図面の記載により、少なくとも以下の事項が明らかとなる。
互いに直交する長手方向と幅方向と厚さ方向とを有し、吸収体を有する低体重児用吸収パッドであって、前記長手方向における長さは１８０ｍｍ以下であり、前記幅方向における長さは７５ｍｍ未満である、ことを特徴とする低体重児用吸収パッド。
【００１０】
このような低体重児用吸収パッドによれば、長手方向における長さが短いため、超低体重児に着用させる際に、超低体重児の背側に敷き込まれる部分の長さ（敷き込み量）を短くすることができる。したがって、吸収パッドを敷き込む際に、超低体重児の身体（腰）を高く持ち上げたりすることなく敷きこむことが可能となり、超低体重児の身体的負担を軽減することができる。また、幅方向における長さが短いため、超低体重児が脚をＭ字型に強く曲げた姿勢で寝ている状態において、股間（鼠蹊部）の間に吸収パッドが収まりやすく、フィット性を向上させることができる。
【００１１】
かかる低体重児用吸収パッドであって、前記幅方向において、前記吸収体よりも外側の領域には、弾性部材が設けられていない、ことが望ましい。
【００１２】
このような低体重児用吸収パッドによれば、弾性部材が発現する伸縮性によって吸収パッドが超低体重児の肌に食い込んで肌を傷付けてしまうこと等を抑制できる。したがって、吸収パッド着用時における安全性をより高めることができる。
【００１３】
かかる低体重児用吸収パッドであって、前記長手方向に折り曲げるための折り曲げ線を有していない、ことが望ましい。
【００１４】
このような低体重児用吸収パッドによれば、折り曲げ線が設けられていないため、折り癖がつきにくく、超低体重児に着用させる際に、超低体重児の肌と吸収パッドとの間に隙間が形成されにくくなる。これにより、超低体重児の身体に吸収パッドをフィットさせやすくすることができる。
【００１５】
かかる低体重児用吸収パッドであって、前記厚さ方向において、前記吸収体よりも非肌側に配置されたバックシートを有し、前記バックシートが不織布である、ことが望ましい。
【００１６】
このような低体重児用吸収パッドによれば、着用時において、バックシートが超低体重児の身体に接触した場合であっても、該バックシートが柔軟な不織布であるため、超低体重児の肌を傷付けにくくすることができる。
【００１７】
かかる低体重児用吸収パッドであって、前記厚さ方向において、前記吸収体よりも肌側に配置されたトップシートを有し、前記厚さ方向において、前記トップシートの少なくとも一部を前記バックシートと接合するシール部を有している、ことが望ましい。
【００１８】
このような低体重児用吸収パッドによれば、トップシートとバックシートとで挟み込まれることによって、吸収体の形状が崩れにくくなり、良好なフィット性を実現しやすい。また、吸収体を構成するＳＡＰ（吸収性ポリマー）が外部に漏れにくくなり、漏出したＳＡＰが低体重児の肌に付着してしまうことを抑制できる。
【００１９】
かかる低体重児用吸収パッドであって、前記シール部は、前記低体重児用吸収パッドの外縁から所定の距離を空けて、前記外縁に沿って設けられている、ことが望ましい。
【００２０】
このような低体重児用吸収パッドによれば、着用時において超低体重児の脚の間に挟まれる等、身体と接触する可能性が高い端縁部にドライエッジを設けることで、該端縁部における柔軟性を確保し、着用者（超低体重児）の身体に傷をつけてしまうことを抑制することができる。
【００２１】
かかる低体重児用吸収パッドであって、前記吸収体には、吸収性ポリマーが含まれており、前記吸収性ポリマーが膨潤した場合であっても、前記シール部の全周に剥離しない部分を有する、ことが望ましい。
【００２２】
このような低体重児用吸収パッドによれば、吸収体に含まれるＳＡＰ（吸収性ポリマー）が膨潤した場合であっても、シール部が全周に亘って剥離しない程度の接合強度を有していることにより、ＳＡＰ（吸収性ポリマー）がシール部の外側に漏出してしまうことが抑制される。したがって、ＳＡＰが低体重児の肌に付着してしまうことを抑制できる。
【００２３】
かかる低体重児用吸収パッドであって、前記吸収体には、吸収性ポリマーが含まれており、前記吸収体における前記吸収性ポリマーの坪量が１６０ｇ／ｍ2以上である、ことが望ましい。
【００２４】
このような低体重児用吸収パッドによれば、超低体重児の身体に合わせて吸収体の面積を小さくした場合であっても、排泄物をしっかりと吸収し、また、排泄物の漏れを抑制できる。これにより、例えば、排泄物がシーツに漏れてしまい、シーツ交換によって超低体重児の身体を動かす必要が生じること等を抑制できる。したがって、超低体重の身体に負担をかけにくくすることができる。
【００２５】
かかる低体重児用吸収パッドであって、着用者の下着に固定するための接着部を有していない、ことが望ましい。
【００２６】
このような低体重児用吸収パッドによれば、吸収パッドを着用する際に、低体重児とマット等の間に吸収パッドを敷き込みやすくすることができる。また、脚をＭ字型に強く曲げた姿勢の低体重児の脚に、接着部がくっついてしまうことを抑制できる。
【００２７】
かかる低体重児用吸収パッドであって、前記厚さ方向において、前記吸収体よりも肌側に配置されたトップシートと、前記吸収体と前記トップシートとの間に配置された中間シートと、を有する、ことが望ましい。
【００２８】
このような低体重児用吸収パッドによれば、中間シートを有さない場合に比べて、吸収パッドの剛性が高まり、低体重児とマット等の間に吸収パッドを敷き込みやすくすることができる。
【００２９】
かかる低体重児用吸収パッドであって、前記中間シートの密度は、前記トップシートの密度よりも高い、ことが望ましい。
【００３０】
このような低体重児用吸収パッドによれば、中間シートの密度を高めることで、中間シートの剛性が高まり、吸収パッドの剛性も高まる。よって、低体重児とマット等の間に吸収パッドを敷き込みやすくすることができる。また、トップシートから中間シートへの排泄物の引き込み性が高まり、リウェット率が低下するため、吸収パッドの着け心地を向上させることができる。
【００３１】
かかる低体重児用吸収パッドであって、前記中間シートには、熱可塑性繊維が含まれている、ことが望ましい。
【００３２】
このような低体重児用吸収パッドによれば、厚さ方向においてトップシートとバックシートとをヒートシール加工によって接合する際に、トップシートとバックシートとの間で、熱可塑性繊維を含んだ中間シートが融着しやすくなり、接合強度を高めることができる。これにより、シール部の接合強度を十分に強くすることができる。
【００３３】
かかる低体重児用吸収パッドであって、互いに直交する縦方向と横方向と厚さ方向とを有し、吸収性コアを備えた吸収性本体と、前記横方向において前記吸収性本体の両側に設けられ、前記厚さ方向の肌側に起立可能な一対の防漏壁と、前記横方向において前記吸収性本体の両端部から外側に張り出した一対のファスニングテープと、を有する使い捨ておむつに対して、前記吸収性本体の前記肌側に着脱可能である、ことが望ましい。
【００３４】
このような低体重児用吸収パッドによれば、おむつに重ねて吸収パッドを使用することにより、排泄が行われた際に、該排泄物を吸収した吸収パッドのみを交換することで、おむつを複数回繰り返して使用することが可能となり、おむつの交換頻度を少なくすることができる。
【００３５】
かかる低体重児用吸収パッドであって、前記低体重児用吸収パッドの前記長手方向における長さが、前記吸収性コアの前記縦方向における長さよりも短い、ことが望ましい。
【００３６】
このような低体重児用吸収パッドによれば、排泄物が吸収パッドの長手方向の外側に漏れた場合であっても、該吸収パッドの下側（厚さ方向の非肌側）に敷かれたおむつの吸収性コアによって排泄物が吸収されるため、排泄物の漏れを抑制することができる。
【００３７】
かかる低体重児用吸収パッドであって、前記低体重児用吸収パッドの前記幅方向における長さが、前記一対の防漏壁が各々前記肌側に起立する際の起立起点間の前記横方向における長さよりも短い、ことが望ましい。
【００３８】
このような低体重児用吸収パッドによれば、吸収パッドを幅方向に圧縮したり折り曲げたりすることなく、おむつの吸収性本体と防漏壁との厚さ方向の間の空間に挿入して取り付けることが可能となる。したがって、吸収パッドの吸収性能を悪化させることなく、おむつと併用して使用することが可能となる。
【００３９】
かかる低体重児用吸収パッドであって、前記低体重児用吸収パッドの前記幅方向における長さが、前記一対の防漏壁の頂点間の前記横方向における長さよりも長い、ことが望ましい。
【００４０】
このような低体重児用吸収パッドによれば、吸収パッドの幅方向の両端部が、防漏壁の先端部によって肌側から覆われるようにしてホールドされ、おむつに対して吸収パッドの相対位置がずれにくくなる。したがって、低体重児の身体に吸収パッドをフィットさせやすくすることができる。
【００４１】
＝＝＝実施形態＝＝＝
低体重児用の吸収性物品として、低体重児用吸収パッドについて説明する。「低体重児用吸収パッド」とは、体重３０００ｇ以下の低体重児を着用対象とした吸収パッドである。中でも、２５００ｇ未満の低出生体重児、１５００ｇ未満の極低出生体重児、１０００ｇ未満の超低出生体重児（以下、「超低体重児」とも言う）に好適に適用できる。
【００４２】
＜低体重児用吸収パッド１の基本構成＞
図１は、低体重児用吸収パッド１（以下「吸収パッド１」とも言う）の肌側平面図である。図２は、吸収パッド１の非肌側平面図である。図３は、図１に示す線Ａ−Ａでの断面模式図である。
【００４３】
吸収パッド１は、所謂フラットタイプの使い捨ておむつであって、平面視略長方形状（略長円形状）であり、互いに直交する長手方向と幅方向と厚さ方向とを有する。厚さ方向において、着用者の身体に接する側を肌側といい、その反対側を非肌側という。
【００４４】
図３に示すように、吸収パッド１は、吸収体２と、吸収体２よりも肌側に配置されたトップシート３と、吸収体２とトップシート３の間に配置された中間シート４と、吸収体２よりも非肌側に配置されたバックシート６と、吸収体２とバックシート６の間に配置された防漏シート５とを有する。また、厚さ方向に隣り合う資材は接着剤１０によって接合されている。
【００４５】
吸収体２は、高分子吸収剤（吸収性ポリマー：super absorbent polymer、以下「ＳＡＰ」とも言う）と、パルプ繊維等の液体吸収性繊維とを有し、本実施形態では、図１の破線で示されるように長手方向に長い略長方形状（略長円形状）に形成されている。ＳＡＰを含有する液体吸収性繊維（吸収コア２Ａ）は、図３に示すように液透過性のコアラップシート２Ｂで覆われていても良いし、覆われていなくても良い。また、吸収体２の構成は上記に限定されず、例えば、親水性のシートにＳＡＰ層を付着させたＳＡＰシートや、液体吸収性繊維をエアレイド法によってシート状に成形したエアレイドシート等を例示できる。
【００４６】
トップシート３は、吸収パッド１の厚さ方向において最も肌側に配置された液透過性のシート部材であり、吸収パッド１の着用時には、着用者（低体重児）の肌と直接接触する部材である。そのため、トップシート３はなるべく柔軟で肌当たりが柔らかいシート部材であることが望ましい。本実施形態のトップシート３を構成するシート部材としては、例えば、エアスルー不織布等を例示できる。
【００４７】
中間シート４は、吸収パッド１の厚さ方向において吸収体２とトップシート３との間に配置された液透過性のシート部材である。この中間シート４が設けられていることにより、吸収パッド１の剛性が高まり、低体重児とマット等の間に吸収パッド１を敷き込みやすくなる。なお、中間シート４は、低体重児の肌に直接触れないため、剛性が高くとも、低体重児の肌を傷付けにくい。本実施形態の中間シート４を構成するシート部材としては、例えば、スパンボンド不織布やエアレイド不織布やティッシュ等を例示できる。ただし、中間シート４０は、必ずしも設けられていなくても良い。
【００４８】
防漏シート５は、吸収パッド１の厚さ方向において吸収体２よりも非肌側に配置された液不透過性のシート部材である。防漏シート５が設けられていることにより、吸収体２によって吸収された尿等の液体が、着用者の衣服側（非肌側）に浸透してしまうことが抑制される。本実施形態の中間シート４を構成するシート部材としては、例えば、ポリエチレンやポリプロピレンの樹脂フィルム等を例示できる。
【００４９】
バックシート６は、吸収パッド１の厚さ方向において防漏シート５の非肌側に配置されたシート部材であり、吸収パッド１の外装を構成する部材（外装シート）である。吸収パッド１の着用時には、バックシート６も着用者（低体重児）の肌と直接接触する可能性が高いため、トップシート３と同様に、なるべく柔軟なシート部材であることが望ましい。本実施形態のバックシート６を構成するシート部材としては、例えば、エアスルー不織布等を例示できる。
【００５０】
吸収パッド１では、防漏シート５の非肌側面に図２に示されるような文字や図柄等のデザイン柄３０が印刷されており、バックシート６を介して吸収パッド１の非肌側から視認可能となっている。ただし、これに限らず、防漏シート５の肌側面や、バックシート６の肌側面又は非肌側面に、デザイン柄３０が印刷されていても良い。本実施形態の吸収パッド１では、最も肌側に配置されているトップシート３及び最も非肌側に配置されているバックシート６がいずれも不織布であるため、トップシート３とバックシート６との外見が同じ（例えば無地で同色）である場合、肌側面及び非肌側面を判別しにくくなってしまうおそれがある。すなわち、表裏を誤って使用されるおそれがある。そこで、非肌側からデザイン柄３０を視認可能とすることで、バックシート６とトップシート３との外観を異ならせている。これにより、使用者は、バックシート６の方が非肌側であることを視覚的に認識することができるようになり、吸収パッド１の表裏を誤って使用することを抑制できる。なお、デザイン柄３０に、吸収パッド１のサイズや非肌側面であること等に関する情報が含まれていても良い。
【００５１】
また、吸収パッド１では、吸収体２よりも長手方向及び幅方向の外側の外周縁部において、シール部７が設けられている。シール部７では、ヒートシール加工によって、トップシート３と、中間シート４と、防漏シート５と、バックシート６とが溶着されて、接合一体化している。本実施形態のシール部７は、図１の斜線部で示される領域において、点状の溶着部が複数並ぶことによって形成されている。すなわち、吸収パッド１の端縁部に沿って吸収体２の周囲を取り囲むようにシート部材同士が接合されている。但し、シール部７が、線状の溶着部や他の形状の溶着部によって形成されていても良い。
【００５２】
なお、本実施形態において、トップシート３と、中間シート４と、防漏シート５と、バックシート６とは、いずれも同じ形状及び大きさを有するシート部材であり、図３に示されるようにシール部７によって互いに厚さ方向に接合されている。但し、中間シート４及び防漏シート５は、吸収パッド１の外装を構成するトップシート３及びバックシート６よりも小さくても良い。
【００５３】
＜吸収パッド１の使用態様について＞
以下、低体重児（超低体重児）に吸収パッド１を着用させる際の態様について説明する。図４Ａ及び図４Ｂは、本実施形態の吸収パッド１を超低体重児に着用させた状態について表す図である。図５Ａ及び図５Ｂは、比較例の吸収パッド５０を超低体重児に着用させた状態について表す図である。図４Ａ及び図５Ａでは、超低体重児の下半身を腹側から見た状態について表し、図４Ｂ及び図５Ｂでは、超低体重児の下半身を側面から見た状態について表している。
【００５４】
低体重児は、一般に、病院等において保育器の中で育成されている。保育器内において、低体重児は、安静を保つために、マットの上で胎内にいた時の姿勢（背中をＣ字型に丸くカーブさせ、脚をＭ字型に強く曲げた姿勢）で寝ていることが多い。低体重児のおむつ（吸収パッド１）を交換する際には、低体重児の身体とマットの間から使用済みのおむつが抜き取られた後、低体重児の身体とマットの間に新しいおむつが挿入される。
【００５５】
低体重児の中でも特に１０００ｇ未満の超低体重児の肌は非常に弱い。そのため、超低体重児には、ファスニングテープを有さない吸収パッド１が好適に使用される。これは、吸収パッド１の交換時において、超低体重児の身体とマットの間に剛性の高いファスニングテープが抜き差しされることがなく、ファスニングテープで超低体重児の肌を傷付けてしまうことを防止できるからである。また、テープタイプのおむつに比べて、吸収パッド１の着脱は容易である。そのため、超低体重児の身体を必要以上に動かさずに、吸収パッド１の交換を行えるので、超低体重児の安静を保つことができ、看護師等の負担も軽減できる。
【００５６】
また、超低体重児には、チューブ等の医療器具が取り付けられていたり、光線治療が施されていたりすることが多い。吸収パッド１を使用することで、低体重児の肌の露出面積を増やすことができる。そのため、低体重児に医療器具を取り付けやすくなり、光線治療の照射面積を増やすことができ、医療の妨げを抑制しつつ使用できる。
【００５７】
本実施形態では、長手方向及び幅方向に伸長させた状態（図１参照）において、吸収パッド１の長手方向における長さ（製品長）Ｌ１を１８０ｍｍ以下とし、吸収パッド１の幅方向における長さ（製品幅）Ｗ１を７５ｍｍ未満としている（Ｌ１≦１８０ｍｍ、Ｗ１＜７５ｍｍ）。
【００５８】
超低体重児の臍から背側の腰部まで長さは１４０ｍｍ程度である。そこで、製品長Ｌ１を、上述のように１８０ｍｍ以下として出来る限り短くすることにより、超低体重児の背側において、下に敷き込まれる吸収パッド１の長さ（敷き込み量）を短くすることができる（図４Ｂ参照）。したがって、吸収パッド１を敷き込む際に、超低体重児の身体（腰）を高く持ち上げたり大きく位置をずらしたりすることなく、吸収パッド１を敷き込むことが可能となる。これにより、超低体重児の身体的負担を軽減することができる。また、超低体重児の腹側においては、肌が過度に覆われてしまうことが抑制されるため（図４Ａ参照）、医療の妨げとなりにくい。
【００５９】
また、本実施形態では、製品幅Ｗ１を７５ｍｍ未満とすることで、超低体重児が図４Ａのように脚をＭ字型に強く曲げた姿勢で寝ている状態において、吸収パッド１が超低体重児の股間（鼠蹊部）の間に無理なく収まるようになる。これにより、吸収パッド１の幅方向の端縁部（エッジ部）が超低体重児の肌を傷付けてしまったり、脚をＭ字型に強く曲げた姿勢を取りにくくさせたりすることを抑制できる。また、超低体重児の股間部に吸収パッド１をしっかりとフィットさせることができる。したがって、低体重児の身体への負担を軽減できる。
【００６０】
一方、比較例の吸収パッド５０は、従来、低体重児用に使用されている製品であって、製品長Ｌ５０が１８０ｍｍよりも大きく、製品幅Ｗ５０が７５ｍｍ以上の略長方形状の吸収パッドである。比較例の吸収パッド５０を超低体重児に着用させようとする場合、超低体重児の身体に対して製品長Ｌ５０が長すぎ、図５Ａのように股下のみならず胴から胸にかけて吸収パッド５０に覆われてしまう場合がある。すなわち、超低体重児の肌の露出面積が小さくなり、医療の妨げとなるおそれがある。また、超低体重児の身体に対して製品幅Ｗ５０が広すぎ、図５Ｂのように鼠蹊部の間に吸収パッド５０が収まりにくくなる。このような場合、超低体重児の肌を傷付けてしまったり、脚をＭ字型に強く曲げた姿勢を取りにくくさせたりする可能性が高く、十分な安全性を確保することが難しい。
【００６１】
また、比較例の吸収パッド５０を着用させる場合、超低体重児の身体にフィットしていないため、位置ずれが生じたり排泄物の漏れが生じたりしやすくなる。この場合、頻繁に吸収パッド５０の位置を直したり交換したりする必要が生じ、超低体重児の身体を動かす機会が多くなる。つまり、超低体重児に触れる機会を少なくする、所謂「ミニマルハンドリング」を実現しにくくなる。
【００６２】
本実施形態の吸収パッド１では、超低体重児の身体にあわせて製品長Ｌ１及び製品幅Ｗ１を適切に調整することにより（Ｌ１≦１８０ｍｍ、Ｗ１＜７５ｍｍ）、従来の吸収パッド（例えば、比較例の吸収パッド５０）と比較して、着用時における安全性やフィット性を良好なものとすることができる。
【００６３】
また、図１〜３に示されるように、吸収パッド１には、伸縮性を有する弾性部材が設けられていない。特に、幅方向において、吸収体２よりも外側の領域に弾性部材が設けられていない。従来の吸収パッドには、着用者の脚回りにおけるフィット性の向上や防漏壁を起立させるために、吸収体の幅方向両側に、長手方向に伸縮する糸ゴム等の弾性部材が設けられているものがある。しかしながら、超低体重児に着用させる場合、このような弾性部材が設けられていると、該弾性部材が発現する伸縮性によって吸収パッドが超低体重児の身体に食い込み、肌が傷付けられてしまうおそれがある。そこで、本実施形態では、吸収体２よりも幅方向外側の領域に弾性部材が設けられないようにすることで、超低体重児の肌が傷付けられてしまうことを抑制し、安全性をより高めている。
【００６４】
また、吸収パッド１には、該吸収パッド１を長手方向に折り曲げるための折り曲げ線が設けられていない。比較例の吸収パッド５０のように製品長（長手方向の長さ）が長い製品では、製品を梱包する際に、長手方向に折り曲げてなるべくコンパクトな形状で市場に流通させることが一般的である。例えば、長手方向の中央で製品を２つに折り曲げて、製品長を半分の長さとしてパッケージングすることにより、保管時や輸送時の取り扱いを容易にすることができる。しかしながら、このような折り曲げ線が形成されていると、該折り曲げ線において吸収パッド５０に折り癖がついてしまい、超低体重児に着用させる場合にフィット性が悪化するおそれがある。例えば、図５Ｂでは、幅方向に沿った折り曲げ線５１に基づいて吸収パッド５０に折り癖が形成されており、吸収パッド５０が折り曲げ線５１に沿って鋭角的に折れ曲がってしまい、着用者の股間部との間に隙間が生じてフィット性が悪化しやすくなる。特に、身体の小さい超低体重児では、隙間が大きくなってフィット性の悪化が顕著になりやすい。
【００６５】
これに対して、本実施形態の吸収パッド１では、折り曲げ線が設けられていないため、折り癖がつきにくい。したがって、超低体重児に着用させる際に、図４Ｂのように身体の丸みに沿って吸収パッド１をしっかりとフィットさせやすく、隙間を生じにくくすることができる。
【００６６】
また、上述したように、吸収パッド１の外装を構成するバックシート６は、不織布等の柔軟なシート部材で形成されている。これにより、吸収パッド１の着用時において、バックシート６が超低体重児の鼠蹊部と接触した場合であっても、超低体重児の肌を傷付けにくくすることができる。
【００６７】
また、トップシート３とバックシート６とがシール部７によって互いに接合されていることにより、該トップシート３及びバックシート６によって挟み込まれた吸収体２の形状が崩れにくく、超低体重児のように身体の小さい着用者に対しても良好なフィット性を実現しやすい。さらに、シール部７がヒートシール等の熱融着手段によって形成されているため、ホットメルト接着剤等の接着剤を用いて接合する場合と比較して、接合強度が強くなっている。したがって、吸収体２が尿等の排泄物を吸収し、膨潤した場合であっても、シール部７が剥がれにくく（剥離しにくく）、吸収体２に含まれるＳＡＰが外部に漏れてしまうことが抑制される。これにより、漏出したＳＡＰが低体重児の肌に付着してしまうことを抑制できる。
【００６８】
吸収パッド１では、従来品と比較して製品長Ｌ１及び製品幅Ｗ１を小さくしているため、吸収体２に含まれるＳＡＰ（吸収性ポリマー）が膨潤した際に、該吸収体２を保持可能な容積が小さく、シール部７を引き剥がす方向に力が作用しやすい。そのため、本実施形態では、ＳＡＰ（吸収性ポリマー）が膨潤した場合であっても、シール部７が全周に亘って剥離しない程度にシール部７の接合強度を十分強くすることで、吸収体２（ＳＡＰ等）が外部に漏出してしまうことを抑制している。
【００６９】
シール部７の接合強度については以下の実験を行って検証した。先ず、吸収パッド１の肌側面を上側にして、平底の容器中に設置する。使用する容器は、吸収体２を完全に平坦に置くことのできる広さを有する底面と、１０ｃｍ程度の高さ（深さ）を有する壁面とを備えるものとする。そして、３７℃程度に維持された環境下で容器中に生理食塩水を５ｃｍの深さまで添加する。そして、５分間隔で吸収パッドのシール部７の様子を観察し、剥離が生じて吸収体２（ＳＡＰ等）が漏出していないかを確認する。その結果、６０分間の実験で、シール部７に剥離が生じた部分は確認されず、吸収体２（ＳＡＰ等）の漏出は生じなかった。
【００７０】
なお、本実施形態において、吸収体２に含まれるＳＡＰ（吸収性ポリマー）の坪量は１６０ｇ／ｍ2以上である。ＳＡＰは吸収体２の全面に略均等に分散されており、吸収体２の全面において、ＳＡＰの坪量が１６０ｇ／ｍ2以上であることが好ましい。ただし、吸収体２の少なくとも一部においてＳＡＰの坪量が１６０ｇ／ｍ2以上であればよい。このようにすれば、超低体重児の身体に合わせて吸収体２の面積を小さくした場合であっても、吸収体２によって排泄物をしっかりと吸収し、また、排泄物の漏れを抑制できる。例えば、吸収パッド１を低体重児に着用させる際に排泄物の漏れが生じてシーツ等が汚れた場合、当該シーツを交換するために、超低体重児の身体を動かす必要が生じ、超低体重児の身体に負担をかけるおそれがある。これに対して、ＳＡＰの坪量が１６０ｇ／ｍ2以上であれば、超低体重児が排泄した尿等が漏れなく吸収されやすくなり、漏れが抑制されるため、超低体重児の身体的負担を軽減することができる。
【００７１】
吸収体２のＳＡＰ（吸収性ポリマー））の坪量は、下記の方法で測定できる。まず、測定対象の吸収体２から任意の質量のＳＡＰを取り出し、１ｍｏｌ／Ｌの塩酸を用いて中和滴定を行い、検量線を作成し、当該ＳＡＰのポリマー係数を割り出す。次に、吸収体２から、測定対象となる範囲の吸収体２の部位をサンプルとして取り出し、厚さ方向に見たサンプルの面積と、サンプル（ＳＡＰ＋液体吸収性繊維）の質量を測定する。その後、適量の塩化ナトリウムを溶解させたイオン交換水に、サンプルを投入し、１ｍｏｌ／Ｌの塩酸を１ｍｌずつ注入し、当該イオン交換水のｐＨを測定するｐＨメーターの数値が大きく変動した時点における塩酸の注入量を読み取る。その読み取った数値と上記のポリマー係数を掛けあわせたものが、サンプルに含まれていたＳＡＰの質量となる。得られたＳＡＰの質量を上記のサンプル面積で除することで、ＳＡＰの坪量を算出できる。
【００７２】
また、シール部７は、吸収パッド１の外縁部を縁取るように全周に亘って形成されているが、トップシート３及びバックシート６の端縁（エッジ）１ｅとは重複しないように設けられている。つまり、シール部７は、吸収パッドの端縁１ｅから所定の距離を空けて、該端縁１ｅに沿って設けられており、端縁１ｅは、所謂ドライエッジとなっている。吸収パッド１の端縁１ｅは、着用時において、超低体重児の脚の間に挟まれる等、身体と接触する可能性が高い部分である。仮に、端縁１ｅがシール部７によって硬くなっていると、着用者（超低体重児）の肌に傷をつけてしまうおそれがある。そこで、本実施形態では、端縁１ｅをドライエッジとすることによって、該端縁１ｅにおける柔軟性を確保し、着用時において着用者の身体に傷をつけてしまうことを抑制している。
【００７３】
また、吸収パッド１は、通常、着用者の下着や使い捨ておむつに貼り付けられて使用されることはない。そのため、吸収パッド１の非肌側面（バックシート６の非肌側面）には、着用者の下着等に固定したり、位置ずれを抑制したりするための接着部（ずれ止め）が設けられていないことが望ましいい。そうすることで、吸収パッド１の着用時に、低体重児とマット等の間に吸収パッド１を敷き込みやすくなる。また、脚をＭ字型に強く曲げた姿勢を取る低体重児の脚に、接着部がくっついてしまうことを防止できる。そのため、看護師らが吸収パッド１を扱いやすくなる。
【００７４】
一方、吸収パッド１に接着部が設けられていた場合には、該接着部を吸収パッド１の肌側面及び非肌側面を判別する基準とすることができる。つまり、接着部が設けられていない場合、吸収パッド１の肌側面及び非肌側面を判別しにくくなってしまうおそれがある。しかしながら、本実施形態の吸収パッド１によれば、バックシート６の非肌側から視認可能なデザイン柄３０を基準に、吸収パッド１の肌側面及び非肌側面を判断できるので、吸収パッド１を正しく着用させることができる。
【００７５】
また、吸収パッド１は、図３に示すように、吸収体２とトップシート３との間に、液透過性の中間シート４を有する。そのため、中間シート４を有さない場合に比べて、吸収パッド１の剛性が高まり、低体重児とマット等の間に吸収パッド１を敷き込みやすくなる。なお、吸収パッド１の剛性を高めるためには、吸収体２自体の剛性を高める方法もある。ただし、吸収体２の端を起点に吸収パッド１は折れやすいため、低体重児の脚をＭ字型に強く曲げた際に、剛性の高い吸収体２を脚で挟み込むことになり、低体重児の肌を傷付けてしまうおそれがある。そのため、上記のように吸収パッド１に中間シート４を設けることが好ましい。
【００７６】
また、中間シート４の密度（ｇ／ｍ3）は、トップシート３の密度（ｇ／ｍ3）よりも高いことが好ましい。中間シート４の密度を高めることで、中間シート４の剛性が高まり、吸収パッド１の剛性も高まる。よって、低体重児とマット等の間に吸収パッド１を敷き込みやすくなる。また、トップシート３から中間シート４への排泄物の引き込み性が高まり、リウェット率が低下するため、吸収パッド１の着け心地を向上させることができる。なお、中間シート４は、低体重児の肌に直接触れないため、トップシート３に比べて剛性が高くとも、低体重児の肌を傷付けにくい。
【００７７】
トップシート３や中間シート４の密度の比較は、周知の方法で行うと良い。本実施形態では、トップシート３及び中間シート４の密度を均一とするが、均一でない場合には、複数箇所を測定し、その平均密度で比較する。密度の比較方法としては、例えば、吸収パッド１から、トップシート３及び中間シート４をそれぞれサンプルとして所定の大きさを切り出し、各サンプルの面積と質量を測定し、単位面積あたりの質量である坪量（ｇ／ｍ2）を算出する。また、上記の方法で各サンプルの厚みも測定し、サンプルの坪量（ｇ／ｍ2）を厚み（ｍ）で除することで、密度を算出することができる（ｇ／ｍ3）。
【００７８】
また、中間シート４には熱可塑性繊維が含まれていることが望ましい。図３で説明したように、中間シート４は、厚さ方向においてトップシート３及びバックシート６の間に挟まれた状態でシール部７によって接合されている。したがって、中間シート４が熱可塑性繊維を含むことにより、ヒートシール加工を行う際に、トップシート３とバックシート６との間に中間シート４が融着しやすくなり、接合強度を高めることができる。本実施系形態の中間シート４は、熱可塑性高分子を溶融させて、連続した長繊維状に吐出しながら形成されたスパンボンド不織布等によって形成されている。したがって、シール部７の接合強度を十分に強くすることができる。
【００７９】
＜吸収パッド１とテープ型おむつ１００との併用について＞
本実施形態の吸収パッド１は、テープタイプの使い捨ておむつ１００（以下、単に「おむつ１００」とも呼ぶ）と併用することができる。図６は、展開かつ伸長状態のおむつ１００の肌側面に吸収パッド１を設置した状態について表す図である。図７は、図６に示す線Ｂ−Ｂでの断面模式図である。
【００８０】
おむつ１００は、低体重児用の一般的な使い捨ておむつであり、吸収性本体１１０と、防漏壁１２０と、ファスニングテープ１３０とを有する。また、おむつ１００は図６の展開状態において、互いに直行する縦方向と横方向と厚さ方向とを有する。縦方向は、展開状態のおむつ１００の長手方向に相当する方向であり、吸収パッド１の長手方向に対応する。横方向は、展開状態のおむつ１００の短手方向に相当する方向であり、吸収パッド１の幅方向に対応する。
【００８１】
吸収性本体１１０は、液吸収性の吸収性コア１１１と、吸収性コア１１１よりも厚さ方向の肌側に配置された肌側シート１１２と、吸収性コア１１１よりも厚さ方向の非肌側に配置された非肌側シート１１３とを備え、縦方向に長い略長方形状に形成された部位である。非肌側シート１１３は、液不透過性の防漏フィルム１１３ａと、防漏フィルム１１３ａの非肌側に積層された外装シート１１３ｂとによって構成されている。また、吸収性コア１１１はコアラップシートに覆われていても良い。
【００８２】
防漏壁１２０は、吸収性本体１１０の横方向の両側に縦方向に沿って設けられた一対の帯状のシート部材である。防漏壁１２０の縦方向両端部及び横方向の外側端部は、不図示の防漏壁接合部によって吸収性本体１１０（肌側シート１１２）の肌側に接合されている。また、防漏壁１２０の横方向の内側端１２０ｔには、縦方向に伸縮可能な防漏壁弾性部材１２１が設けられており、おむつ１００の着用時には、該防漏壁弾性部材１２１が発現する伸縮性に基づいて、防漏壁１２０の横方向の内側端１２０ｔが着用者の肌側に起立して、排泄物の横漏れを抑制する防漏壁として機能する。
【００８３】
ファスニングテープ１３０は、吸収性本体１１０の縦方向の背側において横方向の両端部から外側に張り出した一対のテープ部材である。ファスニングテープ１３０の横方向内側端部は、吸収性本体１１０（外装シート１１３ｂ）の非肌側面に接合されており、横方向外端部の肌側面には、面ファスナー等からなる係止部１３１が設けられている。おむつ１００を着用する際には、縦方向の中央位置ＣＬにて吸収性本体１１０を二つ折りに折り曲げ、折り曲げられた吸収性本体１１０の縦方向の腹側領域（非肌側面）に係止部１３１を係止させることにより、おむつ１００をパンツ型（不図示）に形成する。
【００８４】
本実施形態では、このようなおむつ１００に吸収パッド１を取り付けて使用することができる。おむつ１００に吸収パッド１を取り付ける際には、先ず、おむつ１００の縦方向と吸収パッド１の長手方向が沿うようにして、吸収性本体１１０の肌側に吸収パッド１を配置する（図６参照）。そして、吸収性本体１１０と防漏壁１２０との厚さ方向の間の空間に、吸収パッド１の幅方向両端部を挿入する（図７参照）。これにより、おむつ１００の肌側に吸収パッド１が着脱自在に取り付けられる。このようにすれば、排泄が行われた際に、排泄物を吸収した吸収パッド１を交換することで、おむつ１００を複数回繰り返して使用することが可能となり、おむつ１００の交換頻度を少なくすることができる。
【００８５】
図８Ａ及び図８Ｂは、おむつ１００と吸収パッド１とを併用して、超低体重児に着用させる場合の使用態様について説明する図である。超低体重児に使用する場合には、図６及び図７で説明したように、おむつ１００の吸収性本体１１０と防漏壁１２０との間に吸収パッド１の幅方向両端部を挿入して取り付けるのではなく、おむつ１００の肌側面に吸収パッド１を重ねるように配置して使用する。すなわち、図８Ａに示すように、吸収パッド１の下に展開状態のおむつ１００を敷くことで、吸収パッド１から漏れた排泄物をテープタイプのおむつ１００で捉えるようにする。これにより、吸収パッド１の交換時に排泄物が付着した低体重児の肌で、マット等を汚してしまうことを防止できる。また、上述のように、吸収パッド１に比べて着脱が大変なおむつ１００の交換頻度（例えば半日や１日毎）を、吸収パッド１の交換頻度（例えば３時間毎）よりも少なくできる。そのため、低体重児の安静を保つことができ、看護師等の負担も軽減できる。
【００８６】
さらに、図８Ｂに示すように、低体重児の身体に沿って腹側に折り曲げられた吸収パッド１に対して、おむつ１００のファスニングテープ１３０を横方向（幅方向）の内側に折って、吸収パッド１の非肌側面（バックシート６）に係止部１３１を係止させると良い。これにより、吸収パッド１が長手方向に展開してしまうことを抑制でき、吸収パッド１を低体重児の身体に沿わせてフィットさせた状態を維持できる。なお、本実施形態のバックシート６は不織布によって形成されているため、ファスニングテープ１３０の係止部１３１（面ファスナー）を係止させるのに好適である。
【００８７】
なお、図６に示されるように、吸収パッド１の長手方向における長さ（製品長）Ｌ１は、おむつ１００の吸収性コア１１１の縦方向における長さＬ１１１よりも短いことが望ましい。このようにすれば、排泄物が吸収パッド１の長手方向の外側に漏れた場合であっても、該吸収パッド１の下側に敷かれたおむつ１００の吸収性コア１１１によって排泄物が吸収され、排泄物がおむつ１００の外部に漏出してしまうことを抑制しやすくなる。
【００８８】
また、図６において、おむつ１００の防漏壁１２０が起立する際の起立基点の横方向における位置を１２０ｂとすると、左右一対の防漏壁１２０の起立基点１２０ｂ,１２０ｂの横方向における距離（間隔）Ｗ１２０ｂは、吸収パッド１の幅方向における長さ（製品幅）Ｗ１よりも長いことが望ましい。このようにすれば、吸収パッド１を幅方向に圧縮したり折り曲げたりすることなく、吸収性本体１１０と防漏壁１２０との厚さ方向の間の空間に挿入して取り付けることが可能となる。したがって、吸収パッド１の吸収性能を悪化させることなく、おむつ１００と併用して使用することが可能となる。
【００８９】
また、おむつ１００において、左右一対の防漏壁１２０の横方向における内側端（すなわち、防漏壁１２０の起立先端）１２０ｔ,１２０ｔの横方向における距離（間隔）Ｗ１２０ｔは、吸収パッド１の幅方向における長さ（製品幅）Ｗ１よりも短いことが望ましい。このようにすれば、吸収パッド１の幅方向の両端部が、防漏壁１２０の先端部によって肌側から覆われるようにしてホールドされ、おむつ１００に対して吸収パッド１の相対位置がずれにくくなる。したがって、低体重児の身体に吸収パッド１をフィットさせやすくすることができる。
【００９０】
＜吸収パッド１のその他の態様について＞
吸収パッド１については、上述の態様以外にも、以下のような態様が可能である。
【００９１】
（態様１）
互いに直交する長手方向と幅方向と厚さ方向とを有し、
吸収体を有し、
前記長手方向における長さは１８０ｍｍ以下であり、前記幅方向における長さは７５ｍｍ未満であり、
前記長手方向における両側の端縁が曲線部を有している、ことを特徴とする低体重児用吸収パッド。
【００９２】
図１及び図２に示されるように、吸収パッド１の長手方向両側の端縁が曲線状となっていることにより、着用時の肌当たりが柔らかくなり、低体重児の身体への負担を軽減することができる。また、寝ている低体重児の身体の下側に吸収パッド１を敷き込む際に、低体重児の肌を傷付けにくくすることができる。
【００９３】
（態様２）
前記幅方向における両側の端縁が曲線部を有している、ことを特徴とする低体重児用吸収パッド。
【００９４】
図１及び図２に示されるように、吸収パッド１の幅方向両側の端縁が曲線状となっていることにより、着用時の肌当たりが柔らかくなり、低体重児の身体への負担を軽減することができる。
【００９５】
（態様３）
前記低体重児用吸収パッドの端縁は、全周に亘って曲線部を有している、ことを特徴とする低体重児用吸収パッド。
【００９６】
図１及び図２に示されるように、吸収パッド１の端縁が全周に亘って曲線状となっている、すなわち、直線部分を有していないことにより、着用時の肌当たりが柔らかくなり、低体重児の身体への負担を軽減することができる。
【００９７】
（態様４）
前記幅方向における両端部に、前記幅方向の内側に凸となったくびれ部を有している、ことを特徴とする低体重児用吸収パッド。
【００９８】
図１に示されるように、吸収パッド１は、長手方向の中央領域において、幅方向の内側に凸なるくびれ部１ｃを有している。すなわち、吸収パッド１の幅方向における長さ（製品幅）Ｗ１は、長手方向の両端部よりも中央部において短くなっている。図４Ａで説明したように、吸収パッド１の着用時には、幅方向の両端部が着用者の鼠蹊部に挟まれた状態となる。したがって、当該幅方向の両端部にくびれ部１ｃを有することより、着用者の肌（鼠蹊部）にかかる負荷を軽減することができる。また、くびれ部１ｃが着用者の鼠蹊部に嵌まるようにフィットすることにより、吸収パッド１を着用時における位置ずれを抑制することができる。
【００９９】
（態様５）
前記くびれ部は、前記長手方向における中央部に設けられている、ことを特徴とする低体重児用吸収パッド。
【０１００】
長手方向の中央部は、吸収パッド１の着用時において、着用者の股下部（鼠蹊部）に位置する部位であることから、この部分における製品幅Ｗ１が狭くなっていることにより、吸収パッド１が着用者の身体によりフィットしやすくなる。また、吸収パッド１は、長手方向中央部のくびれ部１ｃを中心にして、前後がほぼ対称な形状となっている。したがって、吸収パッド１は、前後を逆にして着用させることが可能であり、長手方向の前後を誤って使用することにより、フィット性が悪化してしまうといった問題が生じ難い。
【０１０１】
（態様６）
前記幅方向における長さの最小値を、前記幅方向における長さの最大値で割った値が、０．９以上である、ことを特徴とする低体重児用吸収パッド。
【０１０２】
図１において、製品幅Ｗ１が最も短くなる部分における幅方向の長さの最小値をＷ１ｓとし、製品幅Ｗ１が最も長くなる部分における幅方向の長さの最大値をＷ１ｌとすると、Ｗ１ｓ／Ｗ１ｌの値が小さいほど、くびれが大きくなる。本実施形態の吸収パッド１は、肌の弱い超低体重児も着用対象者に含まれているところ、超低体重児の肌に与える刺激をなるべく小さくするために、くびれは小さいことが望ましい。すなわち、吸収パッド１の端縁部（外縁部）のカーブがなるべく緩やかであることが望ましい。具体的に、Ｗ１ｓ／Ｗ１ｌ≧０．９であれば、フィット性の悪化を抑制しつつ、超低体重児の肌に与える刺激を極力小さくすることができる。本実施形態では、Ｗ１ｓ＝５５ｍｍであり、Ｗ１ｓ＝６０ｍｍであることから、Ｗ１ｓ／Ｗ１ｌ＝０．９１７程度である。したがって、着用時のフィット性と安全性を両立しやすい構成となっている。
【０１０３】
（態様７）
前記吸収体の前記幅方向における長さが３９ｍｍ以下である、ことを特徴とする低体重児用吸収パッド。
【０１０４】
１０００ｇ未満の超低体重児の股間幅は３５ｍｍ程度である。したがって、剛性の高い吸収体２の幅Ｗ２が広すぎると、着用時に、超低体重児の脚の間に吸収体２が収まらなくなり、フィット性が悪化しやすくなる。また、そのような吸収体２を無理に着用させようとすると、超低体重児の両脚を傷付けてしまうおそれがある。そこで、本実施形態では、吸収体２の幅方向における長さ（幅）Ｗ２が３９ｍｍ以下となるようにしている。このようなサイズであれば、脚をＭ字型に強く曲げた姿勢の低体重児の脚の間に吸収パッド１を無理なくフィットさせることができる。
【０１０５】
（態様８）
前記吸収体は、前記幅方向における両端部に、前記幅方向の内側に凸となった吸収体くびれ部を有している、ことを特徴とする低体重児用吸収パッド。
【０１０６】
本実施形態の吸収パッド１は、幅方向における幅Ｗ１が狭くなったくびれ部１ｃを有していることを説明したが、吸収体２自体も幅方向の幅Ｗ２が狭くなった吸収体くびれ部２ｃを有していることが望ましい。このようにすれば、吸収パッド１の着用時において剛性の高い吸収体２が超低体重児の鼠蹊部に挟まれたときに、超低体重児の肌（鼠蹊部）にかかる負荷を軽減することができる。
【０１０７】
（態様９）
前記吸収体の前記幅方向における長さが一定である、ことを特徴とする低体重児用吸収パッド。
【０１０８】
一方、上述したように、吸収体２の幅方向における長さ（幅）Ｗ２が３９ｍｍ以下であれば、必ずしも吸収体くびれ部２ｃが設けられていなくても良い。すなわち、吸収体２の幅方向における幅Ｗ２が一定であっても良い。このような吸収体２であれば、吸収体くびれ部２ｃが設けられていない分、吸収体２の面積をより広くすることができるため、尿等の排泄物の吸収容量を大きくすることができる。
【０１０９】
（態様１０）
前記低体重児用吸収パッドの前記幅方向における長さの最小値を、前記幅方向における長さの最大値で割った値は、
前記吸収体の前記幅方向における長さの最小値を、前記幅方向における長さの最大値で割った値以上である、ことを特徴とする低体重児用吸収パッド。
【０１１０】
吸収体２に吸収体くびれ部２ｃが設けられている場合に、吸収体幅Ｗ２が最も短くなる部分における幅方向の長さ（幅）の最小値をＷ２ｓとし、吸収体幅Ｗ２が最も長くなる部分における幅方向の長さ（幅）の最大値をＷ２ｌとすると、本実施形態では、上述のＷ１ｓ／Ｗ１ｌの値が、Ｗ２ｓ／Ｗ２ｌの値以上となっている。すなわち、吸収パッド１の端縁部（外縁部）におけるくびれ（くびれ部１ｃ）の大きさが、吸収体２の端縁部（外縁部）におけるくびれ（吸収体くびれ部２ｃ）の大きさ以下となっている。言い換えると、吸収パッド１の外縁部のカーブの緩さが、吸収体２の外縁部のカーブの緩さ以下となっている。このようにすれば、着用時に超低体重児の肌と直接接触する吸収パッド１の外縁部のカーブがより緩やかとなるため、超低体重児の肌をより傷付けにくくすることができる。
【０１１１】
（態様１１）
前記低体重児用吸収パッドの前記幅方向における長さの最小値を、前記幅方向における長さの最大値で割った値は、
前記吸収体の前記幅方向における長さの最小値を、前記幅方向における長さの最大値で割った値よりも小さい、ことを特徴とする低体重児用吸収パッド。
【０１１２】
一方、上述のＷ１ｓ／Ｗ１ｌの値が、Ｗ２ｓ／Ｗ２ｌの値よりも小さくなるようにしても良い。この場合、吸収体２の端縁部（外縁部）におけるくびれ（吸収体くびれ部２ｃ）の方が、吸収パッド１の端縁部（外縁部）におけるくびれ（くびれ部１ｃ）よりも小さくなる。すなわち、吸収体くびれ部２ｃが小さくなり、吸収体２の幅方向における長さ（幅）Ｗ２が一定値に近くなる。したがって、吸収体２の面積をより広くすることができるため、尿等の排泄物の吸収容量を大きくすることができる。
【０１１３】
（態様１２）
前記長手方向の中央位置において、前記吸収体の前記幅方向における長さを、前記低体重児用吸収パッドの前記幅方向における長さで割った値が、０．７以下である、ことを特徴とする低体重児用吸収パッド。
【０１１４】
図１において、長手方向の中央位置ＣＬにおける吸収体２の幅Ｗ２（Ｗ２ｓ）を、長手方向中央位置における吸収パッド１の幅Ｗ１（Ｗ１ｓ）で割った値Ｗ２／Ｗ１の値が小さいほど、吸収体２の幅Ｗ２と吸収パッド１の幅Ｗ１との差が大きくなる。すなわち、吸収パッド１の幅方向における外側端と吸収体２の幅方向における外側端との間の距離ｄｗ１２（図１参照）が長くなる。仮に、値Ｗ２／Ｗ１が大きい（１に近い）場合、距離ｄｗ１２はゼロに近くなる。この場合、吸収パッド１の着用時に着用者の鼠蹊部に挟まれたときに、剛性の高い吸収体２の幅方向の端縁（エッジ）が着用者の両脚に接触しやすくなる。一方、Ｗ２／Ｗ１の値を小さくすると、吸収パッド１の着用時に着用者の鼠蹊部に挟まれたときに、吸収体２が設けられていない距離ｄｗ１２の部分（すなわち剛性の低い部分）が幅方向に潰れるように変形してクッションのように作用する。これにより、剛性の高い吸収体２の端縁（エッジ）によって着用者の鼠蹊部が傷付けられてしまうことを抑制しやすくなる。したがって、クッションとなる領域を確保するために、Ｗ２／Ｗ１の値は０．７以下であることが望ましい。
本実施形態では、Ｗ２／Ｗ１＝３５ｍｍ／５５ｍｍ＝０.６３６程度であり、クッションとして機能する領域（距離ｄｗ１２の領域）を十分に確保することができる。
【０１１５】
（態様１３）
前記低体重児用吸収パッドのうち、前記吸収体が設けられている部分の前記厚さ方向における厚さと、前記吸収体が設けられていない部分の前記厚さ方向における厚さとの差が、１．５ｍｍ以下である、ことを特徴とする低体重児用吸収パッド。
【０１１６】
吸収パッド１において、吸収体２が設けられている部分（例えば図１における部分Ａ２）では、該吸収体２の厚さ分だけ、吸収体２が設けられていない部分（例えば図１における部分Ａ６）よりも厚みが大きくなる。この厚みの差が大きいと、吸収パッド１の表面に厚さ方向における段差が形成され、低体重児の身体の下側に吸収パッド１を敷き込む際に、当該段差によって低体重児の肌が傷付けられてしまうおそれがある。そこで、本実施形態では、吸収体２が設けられている部分と設けられていない部分との厚さの差が、１．５ｍｍ以下となるようにして、吸収パッド１の表面に大きな段差が生じないようにしている。これにより、低体重児の肌を傷付けにくくすることができる。
【０１１７】
なお、厚さの測定は、岡崎製作所製  PEACOCK  FFD-1を用いて、端子による加圧を１６５g/cm2に調整しつつ、吸収パッド１のうち吸収体２が設けられている部分について複数箇所（例えば２０箇所）の厚さを測定し、その平均値を求める。同様の条件で吸収パッド１のうち吸収体２が設けられていない部分について複数箇所の厚さを測定し、平均値を求める。測定の結果、吸収体２が設けられている部分の厚さ（平均値）は１．７９５ｍｍであった。一方、吸収体２が設けられてない部分の厚さ（平均値）は０．４９４ｍｍであった。したがって、本実施形態では、吸収体２が設けられている部分の厚さと吸収体２が設けられてない部分の厚さとの差は１．３０１ｍｍであり、大きな段差が形成されていないことが確認された。
【０１１８】
（態様１４）
互いに直交する縦方向と横方向と厚さ方向とを有し、吸収性コアを備えた吸収性本体と、前記横方向において前記吸収性本体の両側に設けられ、前記厚さ方向の肌側に起立可能な一対の防漏壁と、前記横方向において前記吸収性本体の両端部から外側に張り出した一対のファスニングテープと、を有する使い捨ておむつに対して、
前記吸収性本体の前記肌側に着脱可能である、ことを特徴とする低体重児用吸収パッドであって、
前記低体重児用吸収パッドは、前記長手方向に折り曲げるための折り曲げ線を有しておらず、
前記使い捨ておむつは、前記縦方向に折り曲げるための折り曲げ線を有している、ことを特徴とする低体重児用吸収パッド。
【０１１９】
吸収パッド１と併用するおむつ１００は、伸長状態において図６に示されるような縦方向に長い略長方形状であるため、縦方向に折り畳んでコンパクトな形状で市場に流通される。そのため、縦方向の所定位置（例えば中央位置ＣＬ）に、おむつ１００を縦方向に折り曲げるための折り曲げ線が設けられている。したがって、おむつ１００の着用時には、該折り曲げ線に沿っておむつ１００が折れ曲がりやすくなる。一方、吸収パッド１は、上述のように長手方向に折り曲げるための折り曲げ線が設けられていない。このような吸収パッド１とおむつ１００とを併用して超低体重児に着用させると、折り曲げ線が設けられていない吸収パッド１を低体重児の股間部にぴったりとフィットさせつつ（図４Ａ及び図４Ｂ参照）、超低体重児の股間部に沿って折れ曲がったおむつ１００によって吸収パッド１を非肌側から覆うことができる。したがって、超低体重児の身体に対して吸収パッド１の位置がずれにくくなり、排泄物の漏出を抑制しやすくすることができる
【０１２０】
（態様１５）
前記吸収性本体の前記肌側に前記低体重児用吸収パッドを取り付けた状態で、
前記使い捨ておむつのファスニングテープを、
前記低体重児用吸収パッドの非肌側面に係止可能である、ことを特徴とする低体重児用吸収パッド。
【０１２１】
図８Ｂで説明したように、超低体重児に吸収パッド１を着用させる際には、低体重児の身体に沿って配置された吸収パッド１の非肌側面に、おむつ１００のファスニングテープ１３０（係止部１３１）を係止させることができる。このようにすれば、吸収パッド１が長手方向に展開してしまうことを抑制でき、吸収パッド１を低体重児の身体にフィットさせやすくすることができる。
【０１２２】
（態様１６）
前記低体重児用吸収パッドの前記長手方向における中央位置と、前記使い捨ておむつの前記縦方向における中央位置とを揃えた状態で、前記低体重児用吸収パッドと前記使い捨ておむつとを前記厚さ方向に重ねたときに、
前記低体重児用吸収パッドの前記長手方向における外側端は、
前記縦方向において、前記ファスニングテープの内側端よりも内側に位置している、ことを特徴とする低体重児用吸収パッド。
【０１２３】
図６に示されるように、吸収パッド１の長手方向の中央位置とおむつ１００の縦方向の中央位置とを揃えた状態で、両者を厚さ方向に重ねた場合、吸収パッド１の長手方向における外側端１ｅｏは、ファスニングテープ１３０の縦方向の内側端１３０ｅｉよりも、縦方向の内側に位置している。すなわち、縦方向において、ファスニングテープ１３０と吸収パッド１とは重複していない。
【０１２４】
吸収パッド１とおむつ１００とを併用して超低体重児に着用させる際に、このような状態から、図８Ｂのように吸収パッド１の非肌側面にファスニングテープ１３０を係止させるためには、超低体重児の腹側において、ファスニングテープ１３０に対して吸収パッド１を縦方向に重複させる必要がある。そのため、使用者（吸収パッド１を超低体重児に着用させる者）は、吸収パッド１を超低体重児の腹側に緩く引っ張りながら、該吸収パッド１を超低体重児の股間にあてがうように配置させる動作を行う。これにより、吸収パッド１が超低体重児の股間部に密着しやすくなり、フィット性をより向上させることができる。
＝＝＝その他の実施の形態＝＝＝
【０１２５】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【０１２６】
１  吸収パッド（低体重児用吸収パッド）、
１ｃ  くびれ部、１ｅ  端縁、１ｅｏ  外側端、
２  吸収体、２Ａ  吸収コア、２Ｂ  コアラップシート、
２ｃ  吸収体くびれ部、
３  トップシート、４  中間シート、５  防漏シート、６  バックシート、
７  シール部、１０  接着剤、
３０  デザイン柄、
５０  吸収パッド（比較例）、
１００  おむつ（テープタイプ）、
１１０  吸収性本体、１１１  吸収性コア、１１２  肌側シート、
１１３  非肌側シート、１１３ａ  防漏フィルム、１１３ｂ  外装シート、
１２０  防漏壁、１２０ｂ  位置（起立起点）、１２０ｔ  内側端、
１２１  防漏壁弾性部材、
１３０  ファスニングテープ、１３０ｅｉ  内側端、１３１  係止部、
Ｌ１  長さ（吸収パッド１の製品長）、
Ｗ１  長さ（吸収パッド１の製品幅）
【図１】
2020081339.tif 000003
【図２】
2020081339.tif 000004
【図３】
2020081339.tif 000005
【図４】
2020081339.tif 000006
【図５】
2020081339.tif 000007
【図６】
2020081339.tif 000008
【図７】
2020081339.tif 000009
【図８】
2020081339.tif 000010